(57)【要約】 【課題】動作モード変更時の動作変更応答度を損なうことなく省電力化を図ること。【解決手段】制御部１０は、アナログ放送受信時にタッチセンサ付リモコン１１に使用者１００がタッチすると、一旦、アナログ信号処理回路ブロックＰ、デジタル信号処理回路ブロックＱ、ＯＳＤ回路ブロックＲの全てに電源部１３から電源スイッチ部１４を介して電源を供給する。その後、リモコン１１の操作で例えばデジタル放送受信モードになった場合、電源スイッチ部１４のスイッチＳＷ１をオフにしてアナログ信号処理回路ブロックＰへの電源の供給をオフにする。その際、デジタル信号処理回路ブロックＱとＯＳＤ回路ブロックＲには予め電源が供給されているため、その立ち上がりに遅延を生じることがなく、動作モード変更時の動作変更応答度を良好に保持することができる。【選択図】図１
2006203293.tif 000002
【特許請求の範囲】
【請求項１】
複数の回路ブロックを有する電子機器であって、
前記回路ブロックが使用中か否かを検出する検出手段と、
前記回路ブロックが使用中であるか否かにより当該回路ブロックへ電源を供給または遮断する制御を行う電源供給制御手段と、
前記電子機器の動作モードがこれから変更されることを検知する検知手段とを具備し、
前記電源供給制御手段は前記検知手段により前記電子機器の動作モードがこれから変更されることが検知されると、全回路ブロックへ電源を一旦供給する制御を行うことを特徴とする電子機器。
【請求項２】
前記検知手段は、人が前記電子機器に近づいたことを検出する人感センサであることを特徴とする請求項１記載の電子機器。
【請求項３】
前記検知手段は、人が前記電子機器の動作を遠隔でコントロールするリモートコントローラに設置されて人が触れたことを検出するタッチセンサであることを特徴とする請求項１記載の電子機器。
【請求項４】
前記検出手段は、前記回路ブロックが使用中の時はこの回路ブロックから出力されるビジー信号の検出の有無により前記回路ブロックが使用中であるか否かを検出することを特徴とする請求項１記載の電子機器。
【請求項５】
前記検出手段は、前記電子機器の動作モードによって各回路ブロックが使用中であるか否かを検出することを特徴とする請求項１記載の電子機器。
【請求項６】
アナログ放送波を受信して処理するアナログ信号処理回路ブロックとデジタル放送波を受信して処理するデジタル信号処理回路ブロックを有するテレビジョン受像機であって、
前記回路ブロックが使用中か否かを検出する検出手段と、
前記回路ブロックが使用中か否かにより当該回路ブロックへ電源を供給または遮断する制御を行う電源供給制御手段と、
前記テレビジョン受像機の動作モードがこれから変更されることを検知する検知手段とを具備し、
前記電源供給制御手段は前記検知手段により前記テレビジョン受像機の動作モードがこれから変更されることが検知されると、前記両回路ブロックへ電源を一旦供給する制御を行うことを特徴とするテレビジョン受像機。
【請求項７】
前記デジタル放送波の受信モード時に各種情報をディスプレイに表示するＯＳＤ回路ブロックを具備し、このＯＳＤ回路ブロックも前記電源供給制御手段の制御対象であることを特徴とする請求項６記載のテレビジョン受像機。
【請求項８】
前記検知手段は、人が前記テレビジョン受像機に近づいたことを検出する人感センサであることを特徴とする請求項６記載のテレビジョン受像機。
【請求項９】
前記検知手段は、人が前記テレビジョン受像機の動作を遠隔でコントロールするリモートコントローラに設置されて人が触れたことを検出するタッチセンサであることを特徴とする請求項６記載のテレビジョン受像機。
【請求項１０】
前記検出手段は、前記テレビジョン受像機の動作モードによって前記各回路ブロックが使用中であるか否かを検出することを特徴とする請求項６記載のテレビジョン受像機。
【請求項１１】
複数の回路ブロックを有する電子機器の各回路ブロックへの電源供給制御方法であって、
前記電子機器の動作モードがこれから変更されることを検知すると、一旦全回路ブロックに電源を供給し、その後、動作モードが変更されて使用されない回路ブロックを検出すると、使用されない回路ブロックへの電源供給を停止することを特徴とする電源供給制御方法。
【発明の詳細な説明】
【技術分野】
【０００１】
本発明は、テレビジョン受像機のような電子機器の電源供給制御方法に係り、特に回路ブロックへの電源供給を必要に応じて行う制御に関する。
【背景技術】
【０００２】
近年、テレビジョン受像機のような電子機器が普及し、その省電力化を図ることは炭酸ガスの排出量を減らす等、地球温暖化防止に役立つことになる。そのため、深夜などテレビジョン放送が終了しているにも拘らず、テレビジョン受像機に電源を投入したままで放置してしまうことを防止しして電力の無駄な消費を防止する公知例がある（例えば特許文献１参照）。
【０００３】
また、電子機器の高機能化に伴い、それを構成する電子回路は複雑になってきている。そこで、その電子機器の機能ごとに小規模な回路をまとめてひとつの回路ブロックとして扱い、これら回路ブロックを集めて組み立てることでひとつの電子機器を構成するものが多くなっている。このような構成の電子機器では装置の動作モードによっては必ずしも全ての回路ブロックを使用する必要がない場合があるが、従来はそのような未使用回路ブロックにも電源を供給し続けて、電力を無駄に消費している。
【０００４】
例えば民生用テレビジョン受像機では、デジタルテレビ放送とアナログテレビ放送の両放送を受信できる機能を持ったものがある。このようなテレビジョン受像機ではアナログ放送を見ている間はデジタル信号をデコードする必要が無く、アナログ放送用の受信系をのみを動作させれば良い。それ故、デジタル放送用の受信系を動作させる必要はないが、現状ではデジタル信号処理回路ブロックにも電源が供給され、電力を無駄に消費している。
【特許文献１】特開２００２−１６８５４２号公報  （第３−１０頁、第１図）
【発明の開示】
【発明が解決しようとする課題】
【０００５】
そこで、装置の動作に必要のない未使用の回路ブロックを休止させ、必要な回路ブロックのみに電力を供給して消費電力の節約を図ることが行われている。ところが、未使用回路ブロックの動作を休止させても、近年のソフト制御されている複雑な回路（例えば上記したデジタル信号処理回路）では再起動に時間がかかる場合がある。このような場合、装置の動作モードの変更に伴い、休止させていた回路ブロックの機能が必要になってこれを再起動しても、回路ブロックの立ち上がりに時間がかかってしまう。そのため装置の動作モードを変更した際の装置の動作変更応答度が遅くなり、使い勝手が悪化してしまうとい問題がある。
【０００６】
本発明は前記事情に鑑み案出されたものであって、本発明の目的は、動作モード変更時の動作変更応答度を損なうことなく、省電力化を図ることができる電子機器、テレビジョン受像機及び電源供給制御方法を提供することにある。
【課題を解決するための手段】
【０００７】
本発明は上記目的を達成するため、複数の回路ブロックを有する電子機器であって、前記回路ブロックが使用中か否かを検出する検出手段と、前記回路ブロックが使用中であるか否かにより当該回路ブロックへ電源を供給または遮断する制御を行う電源供給制御手段と、前記電子機器の動作モードがこれから変更されることを検知する検知手段とを具備し、前記電源供給制御手段は前記検知手段により前記電子機器の動作モードがこれから変更されることが検知されると、全回路ブロックへ電源を一旦供給する制御を行うことを特徴とする。
【０００８】
また、本発明は、アナログ放送波を受信して処理するアナログ信号処理回路ブロックとデジタル放送波を受信して処理するデジタル信号処理回路ブロックを有するテレビジョン受像機であって、前記回路ブロックが使用中か否かを検出する検出手段と、前記回路ブロックが使用中か否かにより当該回路ブロックへ電源を供給または遮断する制御を行う電源供給制御手段と、前記テレビジョン受像機の動作モードがこれから変更されることを検知する検知手段とを具備し、前記電源供給制御手段は前記検知手段により前記テレビジョン受像機の動作モードがこれから変更されることが検知されると、前記両回路ブロックへ電源を一旦供給する制御を行うことを特徴とする。
【０００９】
また、本発明は、複数の回路ブロックを有する電子機器の各回路ブロックへの電源供給制御方法であって、電子機器の動作モードがこれから変更されることを検知すると、一旦全回路ブロックに電源を供給し、その後、動作モードが変更されて使用されない回路ブロックを検出すると、使用されない回路ブロックへの電源供給を停止することを特徴とする。  
【００１０】
このように本発明では、電子機器の動作中、動作モードによっては機能が使用されない回路ブロックがある場合には、この回路ブロックへの電源の供給を停止して省電力化を図っているが、動作モードが変わって電源停止中の回路ブロックへ電源の供給を再開する際に、この回路ブロックの立ち上がりが遅延すること防止するために、これから動作モードが変更されることを検知するようにし、それが検知されると全ての回路ブロックへ一旦電源を供給し、その後、変更された動作モードに応じて、使用されない回路ブロックへの電源の供給を停止する。これにより、動作モードの変更に伴う回路ブロックの立ち上がりの遅延を防止することができ、電子機器の動作変更時の応答度を良好に保持することができる。例えば、民生用デジタルテレビにおいては、アナログ放送を見ている間はデジタル信号処理回路ブロックを停止させて電力消費を抑える。そして使用者がデジタル放送を見るためにリモートコントローラに触れた瞬間、または人がテレビに近づいてきたときにこれを検知して予めデジタル信号処理回路ブロックに電源を供給して再起動させておき、その後、使用者がアナログ放送からデジタル放送にチャンネルを切り替えた場合、アナログ信号処理回路が不必要になるため、この回路ブロックへの電源供給を停止して電力消費を抑えるが、その時、デジタル信号処理回路へは電源が予め投入されているため、この回路の立ち上がりに遅延を生じることがなく、デジタルテレビの操作性を損なうことなく、省電力化を図ることができる。
【発明の効果】
【００１１】
本発明によれば、電子機器、例えばテレビジョン受像機の動作モードがこれから変更されることを検知するようにし、それが検知されると一旦全回路ブロックに電源を供給し、その後、動作モードが変更されて使用されない回路ブロックを検出すると、使用されない回路ブロックへの電源供給を停止する制御を行うことにより、電子機器の動作モード変更時の動作変更応答度を損なうことなく、省電力化を図ることができる。
【発明を実施するための最良の形態】
【００１２】
電子機器の動作モード変更時の動作変更応答度を損なうことなく省電力化を図る目的を、電子機器、例えばテレビジョン受像機の動作モードがこれから変更されることを検知するようにし、それが検知されると一旦全回路ブロックに電源を供給し、その後、動作モードが変更されて使用されない回路ブロックを検出すると、使用されない回路ブロックへの電源供給を停止する制御を行うことによって実現した。
【実施例１】
【００１３】
図１は、本発明の第１の実施形態に係るテレビジョン受像機の構成を示したブロック図である。テレビジョン受像機は、アナログ放送用受信アンテナ１、アナログ放送波受信部２、アナログ映像信号処理部３、アナログ放送用受信アンテナ４、デジタル放送波受信部５、デジタル映像信号処理部６、ＯＳＤ回路部７、出力切換部８、ＣＲＴまたはＬＣＤなどのディスプレイ９、制御部１０、タッチセンサ付のリモコン１１、赤外線受信部１２、メインスイッチ（図示せず）によりオンオフされる電源部１３、電源スイッチ部１４を有して構成され、アナログ放送波受信部２とアナログ映像信号処理部３はアナログ信号処理回路ブロックＰを、デジタル放送波受信部５とデジタル映像信号処理部６はデジタル信号処理回路ブロックＱを、ＯＳＤ回路部７はＯＳＤ回路ブロックＲを構成し、これらブロックには電源部１３から電源スイッチ部１４を通して電源が供給されている。尚、他の機能ブロックには電源部１３から電源スイッチ部１４を介さず電源が供給されているが、その供給経路の図示は省略してある。
【００１４】
次に本実施形態の動作について説明する。アンテナ１で捕らえられたアナログ放送波はアナログ放送波受信部２により受信された後、アナログ映像信号処理部３により各種処理を受けて映像信号となり、これが出力切換部８に入力される。また、アンテナ４で捕らえられたデジタル放送波はアナログ放送波受信部２により受信された後、デジタル映像信号処理部６により各種処理を受けて映像信号となり、これが出力切換部８に入力される。
【００１５】
一方、使用者がリモコン１１の操作を行うと、操作情報が赤外線受信部１２より受信されて制御部１０に入力される。制御部１０は入力される操作情報がアナログ放送受信であった場合、出力切換部８を制御してアナログ映像信号を選択してディスプレイ９に出力し、デジタル放送受信であった場合、出力切換部８を制御してデジタル映像信号を選択してディスプレイ９に出力することにより、アナログ放送受信と、デジタル放送受信を切り換える。また、デジタル放送を受信している時にメニュー表示や番組情報表示を行う場合、使用者によるリモコン１１の操作に応じて、制御部１０がＯＳＤ回路７に必要な情報を送ることにより、ＯＳＤ回路７はメニュー表示や番組情報表示信号を出力切換部８を介してディスプレイ９に送ることにより、これら情報を表示する。この場合、アナログ放送を受信している時は、デジタル信号処理回路ブロックＱとＯＳＤ回路ブロックＲの機能は用いられておらず、デジタル放送を受信している時は、アナログ信号処理回路ブロックＰの機能は用られていない。そこで、本実施形態では以下に述べるような電力供給制御を行っている。
【００１６】
次に本実施形態の電力供給制御について説明する。その前に図２は図１に示したタッチセンサ付のリモコン１１の構成を示したブロック図である。タッチセンサ付のリモコン１１はタッチ電極１１１と、このタッチ電極１１１を接続する静電容量センサ１７と、リモコンコード送信（ＩＣ）部１８を有している。タッチセンサ付のリモコン１１のタッチ電極１１１に使用者が触れると、静電容量センサ１７が静電容量の変化を検出し、検出信号をリモコンコード送信部１８に送る。これにより、リモコンコード送信部１８は人がリモコン１１にタッチしたことを示すコードで変調した変調信号を赤外線発光ダイオード１９に出力するため、赤外線発光ダイオード１９から人がリモコン１１にタッチしたことを示す赤外線信号が出力される。なお、リモコン１１の側面にタッチ電極１１１を貼り付ける構成か、または導電性塗料にてリモコン１１を塗装するなどしてタッチ電極１１１の代替をさせる構成を採ることもできる。
【００１７】
図３は制御部１０による電力供給制御処理手順を示したフローチャートである。制御部１０はステップＳ１で、リモコン１１から使用者１００がリモコン１１にタッチした信号を受信したかどうか監視し、受信されると、ステップＳ２で装置の動作モードに拘らず、電源スイッチ部１４のスイッチＳＷ１，ＳＷ２をオンして、電源部１３で発生した電源をアナログ信号処理回路ブロックＰ、デジタル信号処理回路ブロックＱ、ＯＳＤ回路ブロックＲの全てに供給する。その後、ステップＳ３でリモコンの操作信号が受信されるのを待つが、操作信号が受信されると、ステップＳ４でこの操作信号に応じた動作モードになるように装置の動作を変更し、ステップＳ５でそれが装置のメイン電源のオフであるがどうかを判定し、そうであれば処理を終了し、そうでなければステップＳ６に進む。ステップＳ６では、現在の装置の動作では使用しない回路ブロックの電源をオフにし、所定時間待った後、ステップＳ１に戻る。また、使用者１００がリモコン１１に触れたが、操作しないで離した場合、これをステップＳ７で検出するとステップＳ６に進んで、使用しない回路ブロックの電源をオフにする制御を行う。
【００１８】
上記制御により、例えば、現在の動作がアナログ放送を受信している時は、電源スイッチ部１４のスイッチＳＷ２をオフにしてデジタル信号処理回路ブロックＱとＯＳＤ回路ブロックＲへの電源の供給制御を停止する。また、デジタル放送を受信している時は、電源スイッチ部１４のスイッチＳＷ１をオフにしてアナログ信号処理回路ブロックＰへの電源の供給制御を停止する。
【００１９】
本実施形態によれば、動作モードに応じて使用しない回路ブロックへの電源供給を停止することにより、無駄な電源の消費を無くすことができる。しかも、使用者１００が装置の動作を切り換えようとリモコン１１にタッチすると、これを検出して電源供給停止中の回路ブロックへの電源の供給を再開して、全ての回路ブロックへの電源を供給することにより、次に使用者がどのように動作モードを変えても、全ての回路ブロックは既に立ち上がっているため、デジタル信号処理回路ブロックＱのように電源オンから動作を開始するまでの立ち上がりが遅い回路ブロックを含んでいても、動作モード変更時の応答度を良好に保つことができ、上記の省電力効果を動作モード変更時の動作変更応答度を損なうことなく実現することができる。
【００２０】
尚、上記実施形態では、使用者１００がリモコン１１にタッチすることで、使用者１００により動作モードがこれから変更されることを検知して、全ての回路ブロックへの電源を一旦供給する制御を行っているが、これから使用者１００により動作モードが変更されることを検知する手段はタッチセンサ付のリモコン１１に限らない。例えば、図１の点線に示すようにテレビジョン受像機の本体に人感センサ１５を取り付けて、人が近づいたことを検出すると、これから使用者により動作モードが変更されることを検知して、全ての回路ブロックへの電源を供給した後、テレビジョン受像機の本体についている操作ボタンからの操作を待つようにしても同様の効果がある。但し、この人感センサ１５とタッチセンサ付リモコン１１は併設してあっても、場合によってはいずれか一方の装備でも良い。
【実施例２】
【００２１】
図４は、本発明の第２の実施形態に係る電子機器の構成を示したブロック図である。本実施形態の電子機器は、複数の機能が異なる回路ブロック２１、２２、２３、…、と、これら回路ブロックの中で現在の動作に使用する回路ブロックのみに電源を供給する制御を行うマイクロコンピュータ２４と、オペレータ２００が電子機器に近づいたことを検出する人感センサ２５を有しており、また、各回路ブロック２１、２２、２３、…、は自己の回路ブロックが使用されている時はビジー信号をマイクロコンピュータ２４に出し続ける機能を有している。
【００２２】
次に本実施形態の動作について説明する。マイクロコンピュータ２４は回路ブロック２１、２２、２３、…、のビジー信号を監視している。これによりビジー信号が出力されていない回路ブロックを検出すると、例えばこれが回路ブロック２１であった場合、この回路ブロック２１への電源供給をスイッチ２１１をオフすることにより停止する。また、マイクロコンピュータ２４は人感センサ２５によりオペレータ２００が近づいたことが検出されると、オペレータ２００によりこれから動作モードが変更されることを検知して、今まで電源がオフであった回路ブロックへの電源をオンとして、全ての回路ブロックの電源をオン状態にする。その後、オペレータ２００が図示されない操作部から動作変更などを行うと、この動作変更に応じて使用する回路ブロックが変更されることがある。マイクロコンピュータ２４は各回路ブロックから出力されるビジー信号の有無により、使用していない回路を検出すると、この回路ブロックの電源をオフにする。
【００２３】
本実施形態によれば、マイクロコンピュータ２４は回路ブロック２１、２２、２３、…、からのビジー信号の有無により、使用していない回路ブロックへの電源供給をオフすることにより、省電力化を図っている。また、人感センサ２５によりオペレータ２００が近づいたことが検出されると、これからオペレータ２００により動作モードが変更されることを検知して、全ての回路ブロックへの電源を供給しておくため、その後、オペレータ２００の操作により使用される回路ブロックが変更された場合でも、既に回路ブロックの動作が立ち上がっているため、電源オンから動作状態に至るまでの立ち上がりが遅い回路ブロックがあっても、動作モード変更時の動作変更応答度は良好で、第１の実施形態と同様の効果がある。
【００２４】
尚、本発明は上記実施形態に限定されることなく、その要旨を逸脱しない範囲において、具体的な構成、機能、作用、効果において、他の種々の形態によっても実施することができる。例えば上記実施形態では供給電源を停止して回路ブロックを休止状態にしたが、回路ブロックへ供給する動作クロックを停止して、回路ブロックを休止状態にすることにより、この回路ブロックの消費電力をゼロまたは極小にしても同様の効果がある。
【図面の簡単な説明】
【００２５】
【図１】本発明の第１の実施形態に係るテレビジョン受像機の構成を示したブロック図である。
【図２】図１に示したタッチセンサ付リモコンの構成を示したブロック図である。
【図３】図１に示した制御部による電力供給制御処理手順を示したフローチャートである。
【図４】本発明の第２の実施形態に係る電子機器の構成を示したブロック図である。
【符号の説明】
【００２６】
１……アナログ放送用受信アンテナ、２……アナログ放送波受信部、３……アナログ映像信号処理部、４……アナログ放送用受信アンテナ、５……デジタル放送波受信部、６……デジタル映像信号処理部、７……ＯＳＤ回路部、８……出力切換部、９……ディスプレイ、１０……制御部、１１……タッチセンサ付リモコン、１２……赤外線受信部、１３……電源部、１４……電源スイッチ部、１５、２５……人感センサ、１７……静電容量センサ、１８……リモコンコード送信（ＩＣ）部、１９……赤外線発光ダイオード、２１、２２、２３……回路ブロック、２４……マイクロコンピュータ、１１１……タッチ電極、２１１、２２１、２３１、ＳＷ１、ＳＷ２……スイッチ、Ｐ……アナログ信号処理回路ブロック、Ｑ……デジタル信号処理回路ブロック、Ｒ……ＯＳＤ回路ブロック。
【図１】
2006203293.tif 000003
【図２】
2006203293.tif 000004
【図３】
2006203293.tif 000005
【図４】
2006203293.tif 000006